(57)【要約】      （修正有）【課題】操作つまみに調理により飛び散る油等の汚れが付かないようにし、ガス栓カバーの清掃も容易に出来るようにする。【解決手段】家庭用調理器具の供給に応じた、操作つまみ１２とガス出口筒部１１とガス入口筒部１０からなる回動式ガス栓を被覆するガス栓カバー２０Ａにおいて、操作つまみ１２を略被覆可能な一方開放の筒体とすると共に前記操作つまみ１２を被覆する壁部３１を有する構成であることを特徴とするガス栓カバー。【選択図】図１
2016001050.tif 000002
【特許請求の範囲】
【請求項１】
家庭用調理器具の供給に応じた、操作つまみとガス出口筒部とガス入口筒部からなる回動式ガス栓を被覆するガス栓カバーにおいて、
前記操作つまみを略被覆可能な一方開放の筒体とすると共に
前記筒体は構成壁を有し、
前記操作つまみの胴部を被覆する壁部を有することを特徴とするガス栓カバー。
【請求項２】
前記構成壁の前記壁部が、家庭用調理器具の供給に応じた、操作つまみ２個とガス出口筒部２個とガス入口筒部からなる回動式二口ガス栓において、
前記操作つまみ２個の胴部を被覆する前記壁部を有することを特徴とする請求項１に記載のガス栓カバー。
【請求項３】
前記筒体の装着状態にて、前記ガス出口筒部側の前記壁部の開放端が径方向外側に前記ガス出口筒部の水平方向の頂部に当接して覆うように延伸する庇部を有することを特徴とする請求項１に記載のガス栓カバー。
【請求項４】
前記筒体の装着状態にて、前記ガス出口筒部側の前記壁部の開放端が径方向外側に前記ガス出口筒部２個の水平方向の頂部に当接して覆うように延伸する庇部を有することを特徴とする請求項２に記載のガス栓カバー。
【請求項５】
前記ガス入口筒部側の前記壁部が前記ガス入口筒部に向かって垂下、延伸し、長壁部を構成し、前記長壁部先端が前記ガス入口筒部に対応する位置に前記ガス入口より多少大きな幅の切欠部を形成していることを特徴とする請求項３または４に記載のガス栓カバー。
【請求項６】
前記筒体を透明ガラス製としたことを特徴とする請求項１〜５のいずれかに記載のガス栓カバー。
【請求項７】
前記筒体を透明樹脂製としたことを特徴とする請求項１〜５のいずれかに記載のガス栓カバー。
【請求項８】
前記筒体を金属製としたことを特徴とする請求項１〜５のいずれかに記載のガス栓カバー。
【発明の詳細な説明】
【技術分野】
【０００１】  本発明は、ガス栓カバーに関する。
【背景技術】
【０００２】  通常ガス栓は使用者から見て家庭用調理器具のガスコンロ等の奥側に設置されており、調理によって飛び散った油等の汚れが操作つまみに付き、操作すると手が汚れ、清掃もし難く、また使用者からは汚れが見える為、気になり不快なものであった。【０００３】  特許文献１は不使用状態にあるガス栓を誤って開操作することを防止するためのものであり、壁部にスリットが形成されていることより、調理中に飛び散った汚れがスリット部に入り込み、清掃がしにくいという不便がある。
【先行技術文献】
【特許文献】
【０００４】
【特許文献１】特開２００８−２３２３８２
【発明の概要】
【発明が解決しようとする課題】
【０００５】  通常ガス栓は使用者から見て家庭用調理器具のガスコンロ等の奥側に設置されており、調理によって飛び散った油等の汚れが操作つまみに付き、操作すると手が汚れ、清掃もし難く、また使用者からは汚れが見える為、気になり不快なものであった。【０００６】  また、従来のガス栓カバーは、不使用状態にあるガス栓を誤って開操作することを防止するためのものであり、スリットが形成されていることより、調理中に飛び散った汚れがスリット部に入り込み、清掃がしにくく不便であった。【０００７】  本発明は，『家庭用調理器具の供給に応じた、操作つまみとガス出口筒部とガス入口筒部からなる回動式ガス栓を被覆するガス栓カバーにおいて、
前記操作つまみを略被覆可能な一方開放の筒体とすると共に
前記筒体は構成壁を有し、
前記操作つまみの胴部を被覆する壁部を有することを特徴とするガス栓カバー』において、容易にガス栓に装着、着脱でき、操作つまみを調理による油等の汚れから防ぎ、また、清掃が容易に出来るガス栓カバーを提供することを課題とする。
【課題を解決するための手段】
【０００８】上記課題を解決する本発明は、下記構成を有する。【０００９】１．家庭用調理器具の供給に応じた、操作つまみとガス出口筒部とガス入口筒部からなる回動式ガス栓を被覆するガス栓カバーにおいて、
前記操作つまみを略被覆可能な一方開放の筒体とすると共に
前記筒体は構成壁を有し、
前記操作つまみの胴部を被覆する壁部を有することを特徴とするガス栓カバー。【００１０】２．前記構成壁の前記壁部が、家庭用調理器具の供給に応じた、操作つまみ２個とガス出口筒部２個とガス入口筒部からなる回動式二口ガス栓において、
前記操作つまみ２個の胴部を被覆する前記壁部を有することを特徴とする請求項１に記載のガス栓カバー。【００１１】３．前記筒体の装着状態にて、前記ガス出口筒部側の前記壁部の開放端が径方向外側に前記ガス出口筒部の水平方向の頂部に当接して覆うように延伸する庇部を有することを特徴とする請求項１に記載のガス栓カバー。【００１２】４．前記筒体の装着状態にて、前記ガス出口筒部側の前記壁部の開放端が径方向外側に前記ガス出口筒部２個の水平方向の頂部に当接して覆うように延伸する庇部を有することを特徴とする請求項２に記載のガス栓カバー。【００１３】５．前記ガス入口筒部側の前記壁部が前記ガス入口筒部に向かって垂下、延伸し、長壁部を構成し、前記長壁部先端が前記ガス入口筒部に対応する位置に前記ガス入口より多少大きな幅の切欠部を形成していることを特徴とする請求項３または４に記載のガス栓カバー。【００１４】６．前記筒体を透明ガラス製としたことを特徴とする請求項１〜５のいずれかに記載のガス栓カバー。【００１５】７．前記筒体を透明樹脂製としたことを特徴とする請求項１〜５のいずれかに記載のガス栓カバー。【００１６】８．前記筒体を金属製としたことを特徴とする請求項１〜５のいずれかに記載のガス栓カバー。
【発明の効果】
【００１７】  以上のように、請求項１に係る発明によれば、ガス栓カバーとして一方開放の筒体を設け、これをガス栓の操作つまみに被せるだけで、ガスコンロで料理中に飛び散った油等の汚れが操作つまみに付くことを防げる。【００１８】  また、ガス栓カバーは簡単に外せて、水洗い等で汚れを取り除くことが出来る。このため、操作つまみを開閉する際に油で手がべたついていやな思いをすることを防げる。【００１９】  請求項２に係る発明によれば、二口ガス栓において一つのガス栓カバーで２個の操作つまみと２個を一緒に被覆させることが出来る。ガス栓カバーとして、一方開放の筒体を設け、これをガス栓の操作つまみとガス出口筒部に被せるだけで、ガスコンロでの料理中に飛び散った油等の汚れが操作つまみに付くことを防げる。【００２０】  また、ガス栓カバーは簡単に外せて、水洗い等で汚れを取り除くことが出来る。
このため、操作つまみを開閉する際に油で手がべたついていやな思いをすることを防げる。【００２１】  請求項３に係る発明によれば、ガス栓カバーとして、一方開放の筒体を設け、これをガス栓の操作つまみとガス出口筒部に被せるだけで、ガスコンロで料理中に飛び散った油等の汚れが操作つまみとガス出口筒部に付くことを防げる。【００２２】  また、ガス栓カバーは簡単に外せて、水洗い等で汚れを取り除くことが出来る。
このため、操作つまみを開閉する際に油で手がべたついていやな思いをすることを防げる。【００２３】  請求項４に係る発明によれば、二口ガス栓において一つのガス栓カバーで２個の操作つまみと２個のガス出口筒部を一緒に被覆させることが出来る。【００２４】  ガス栓カバーとして、一方開放の筒体を設け、これをガス栓の操作つまみとガス出口筒部に被せるだけで、ガスコンロで料理中に飛び散った油等の汚れが操作つまみとガス出口筒部に付くことを防げる。【００２５】  また、ガス栓カバーは簡単に外せて、水洗い等で汚れを取り除くことが出来る。
このため、操作つまみを開閉する際に油で手がべたついていやな思いをすることを防げる。【００２６】  請求項５に係る発明によれば、
ガス栓に筒体を被覆させた状態では、ガス入口筒部側の前記壁部が前記ガス入口筒部に向かって垂下、延伸した長壁部を有し、前記長壁部先端が前記ガス入口筒部に対応する位置に前記ガス入口筒部より多少大きな幅の切欠部を形成しているので、前記筒体は前記切欠部で前記ガス入口筒部と、前記庇部でガス出口筒部に保持されるため、カバーはガス栓に、より安定した状態で保持される。【００２７】  請求項６に係る発明によれば、筒体を被せた状態で、操作つまみの向きを認識することができ、付着した油等のよごれが清掃しやすく、清掃による劣化が少ないので透明性が長続きし、美しい状態を長く保つことができる。【００２８】  請求項７に係る発明によれば、筒体を被せた状態で、操作つまみの向きを認識することができ、軽量で扱いやすく、大量生産するときには比較的安価で製造できる。【００２９】  請求項８に係る発明によれば、熱に強く、頑丈で長期間の使用に耐えることが出来る。
【図面の簡単な説明】
【００３０】
【図１】本発明の実施形態のガス栓カバーを一口ガス栓に装着した状態を示す全体正面図。
【図２】図１の右側面図
【図３】本発明の実施形態のガス栓カバーを二口ガス栓に装着した状態を示す全体正面図。
【図４】図３の右側面図。
【図５】本発明の実施形態のガス栓カバーを一口ガス栓に装着した状態を示す全体正面図。
【図６】図５の右側面図
【図７】本発明の実施形態の透明ガラス製のガス栓カバーを二口ガス栓に装着した状態を示す斜視図。
【発明を実施するための形態】
【００３１】  以下、本発明を実施するための最良の形態について添付図面を参照しながら説明する。
【００３２】  図１は本発明請求項１の実施の形態のガス栓カバーを一口ガス栓に装着した状態を示す正面図であり、図２は、図１の右側面図である。
【００３３】  この実施の形態で採用したガス栓は、図１に示すように、家庭用調理器具の供給に応じた、操作つまみ（１２）とガス出口筒部（１１）とガス入口筒部（１０）からなる回動式一口ガス栓である。
【００３４】  前記ガス栓カバー（２０）は、下方開放の樹脂製の筒体からなり、壁部（３１）により、前記操作つまみ（１２）を略密嵌状態に収容するつまみ収容室（３７）を構成している。
【００３５】  前記壁部（３１）は下方へ延伸されて前記操作つまみ（１２）を被覆し終わった程度に設定されている。
【００３６】  前記ガス栓カバー（２０）はつまみ収容室（３７）で操作つまみ（１２）に当接することでガス栓（１）に遊びを持って保持される。
【００３７】  前記ガス栓カバー（２０）を洗浄したり、前記操作つまみ（１２）を操作する時には、前記ガス栓カバー（２０）を持ち上げるように抜き取れば良い。
【００３８】  図３は本発明請求項４の実施の形態のガス栓カバーを二口ガス栓に装着した状態を示す正面図であり、図４は、図３の右側面図である。
【００３９】  この実施の形態で採用したガス栓は、図１に示すように、家庭用調理器具の供給に応じた、操作つまみ２個（１２Ａ）（１１Ｂ）
とガス出口筒部２個（１１Ａ）（１１Ｂ）とガス入口筒部（１０）からなる回動式二口ガス栓である。
【００４０】  前記ガス栓カバー（２０Ｂ）は、下方開放の樹脂製の筒体からなり、前記操作つまみ（１２Ａ）（１２Ｂ）を略密嵌状態に収容する内径に構成されたつまみ収容室（３７）が設けられていると共に，
構成壁は壁部（３１Ａ）（３１Ｂ）とガス出口筒部側の壁部（３５）とガス入口筒部側の壁部（３６）
に四分割されている。
【００４１】  前記壁部（３１Ａ）（３１Ｂ）は下方へ延伸されて前記操作つまみを被覆し終わった程度に設定されている。
【００４２】  前記ガス出口筒部側の壁部（３５）の先端は、図２に示すように、前記操作つまみ（１２Ａ）（１２Ｂ）を前記ガス栓カバー（２０Ｂ）のつまみ収容室（３７）内に収容させたガス栓カバー（２０Ｂ）の装着完了状態にて、前記ガス出口筒部（１１Ａ）（１１Ｂ）の水平方向の頂部（１３Ａ）（１３Ｂ）に当接したところで、前記ガス出口筒部（１１Ａ）（１１Ｂ）を覆うように延長して、庇部（３２）を形成している。
【００４３】  ガス栓カバーは庇部（３２）で前記ガス出口筒部（１１Ａ）（１１Ｂ）の水平方向の頂部（１３Ａ）（１３Ｂ）に当接し、また、つまみ収容室（３７）で操作つまみ（１２Ａ）（１２Ｂ）に当接することでガス栓（１Ａ）（１Ｂ）に遊びを持って保持される。
【００４４】  前記栓カバー（２０Ｂ）を洗浄したり、前記操作つまみ（１２Ａ）（１２Ｂ）を操作する時には、前記ガス栓カバー（２０Ｂ）を持ち上げるように抜き取れば良い。
【００４５】  図５は本発明の請求項５のガス栓カバーを一口ガス栓（１０）に装着した状態を示す正面図であり
ガス入口筒部側の壁部（３６）が前記ガス入口筒部（１１）に向かって垂下、延伸した長壁部（３３）を有し、前記長壁部（３３）先端が前記ガス入口筒部（１０）に対応する位置に前記ガス入口筒部（１０）より多少大きな幅の切欠部（３４）を形成している。
【００４６】  この実施の形態では、
前記切欠部（３４）で前記ガス入口筒部（１０）に、前記庇部（３２）で前記ガス出口筒部の頂部（１３）に保持されるため、ガス栓カバーは前記ガス栓に、より安定した状態で保持される。
図６は、図５の右側面図である。
【００４７】  図７に示すものは、ガス栓カバー全体を透明ガラス製として、二口ガス栓への装着状態を示した斜視図である。
【００４８】  この実施の形態では、ガス栓カバーを装着したままで、使用者は操作つまみ（１２Ａ）（１２Ｂ）の向きを目で確認することが出来る。
【符号の説明】
【００４９】（１）（１Ａ）（１Ｂ）・・・・・ガス栓本体
（１０）・・・・・・・・・・・・ガス入口筒部
（１１）（１１Ａ）（１１Ｂ）・・ガス出口筒部
（１２）（１２Ａ）（１１Ｂ）・・操作つまみ
（１３）（１３Ａ）（１３Ｂ）・・ガス栓出口筒部の水平方向の頂部
（２０Ａ）・・・・・・・・・・・一口ガス栓用ガス栓カバー
（２０Ｂ）・・・・・・・・・・・二口ガス栓用ガス栓カバー
（３１）（３１Ａ）（３１Ｂ）・・壁部
（３２）・・・・・・・・・・・・庇部
（３３）・・・・・・・・・・・・長壁部
（３４）・・・・・・・・・・・・切欠部
（３５）・・・・・・・・・・・・ガス出口筒部側の壁部
（３６）・・・・・・・・・・・・ガス入口筒部側の壁部
（３７）・・・・・・・・・・・・つまみ収容室
【図１】
2016001050.tif 000003
【図２】
2016001050.tif 000004
【図３】
2016001050.tif 000005
【図４】
2016001050.tif 000006
【図５】
2016001050.tif 000007
【図６】
2016001050.tif 000008
【図７】
2016001050.tif 000009